(57)【要約】【課題】厳かな印象を失うことなく遺影を明るく照らすことができると共に、礼拝時に御経等の音情報を流すことが可能な遺影表示具を提供する。【解決手段】遺影２を保持する遺影保持部１０と、遺影保持部１０を載置する載置台２０と、遺影保持部１０に保持される遺影２に対して光を照射する光源部３０ａ〜３０ｃと、音情報を出力する音源部４０と、光源部３０ａ〜３０ｃ及び音源部４０の駆動を制御する駆動制御部４２と、駆動制御部４２に電力を供給する電力源４４と、駆動制御部４２のＯＮ状態及びＯＦＦ状態を切り替える電源スイッチ４６とを備えている。【選択図】図１
0003187739.tif 000002
【実用新案登録請求の範囲】
【請求項１】
故人の遺影を表示するための遺影表示具であって、
前記遺影を保持する遺影保持部と、
前記遺影保持部に保持される前記遺影に対して光を照射する光源部と、
音情報を出力する音源部と
を備えることを特徴とする遺影表示具。
【請求項２】
前記音源部は、御経を出力するよう構成されている
ことを特徴とする請求項１に記載の遺影表示具。
【請求項３】
前記遺影保持部を載置させる上面と、脚部が設けられる底面とを有する載置台を更に備え、
前記脚部は、前記載置台の底面と床面との間に所定の空間を形成し、かつ、該空間の内外を連通させる開放部を形成するよう構成され、
前記音源部は、前記脚部によって形成された前記空間内に設けられている
ことを特徴とする請求項１又は２に記載の遺影表示具。
【請求項４】
前記遺影保持部を正面部に有し、内部に所定の収容空間を有する箱体を更に備え、
前記光源部及び前記音源部は、前記箱体の前記収容空間に収容されている
ことを特徴とする請求項１又は２に記載の遺影表示具。
【考案の詳細な説明】
【技術分野】
【０００１】
本考案は、故人の遺影を表示するための遺影表示具に関する。
【背景技術】
【０００２】
従来、家庭用の仏壇には、故人の位牌と共に遺影が飾られることが一般的である。このような遺影を飾る仏具としては、例えば特許文献１及び２に記載のような写真立てが広く用いられている。
【先行技術文献】
【特許文献】
【０００３】
【特許文献１】実用新案登録第３１２１１４２号公報
【特許文献２】実用新案登録第３１２８００６号公報
【考案の概要】
【考案が解決しようとする課題】
【０００４】
しかしながら、一般的な家庭用の仏壇では、厳かな印象を失わないようにするために仏壇内部の照明の光量が制限されていることから、遺影を載置する領域が薄暗く、寂しい印象を与えるという問題がある。また、礼拝時には、合掌と共に御経を挙げることが一般的であるが、一般の人では御経を挙げることが難しく、無言で合掌することしかできない場合があり、より一層寂しい印象を与えるおそれがあるという問題がある。
【０００５】
そこで、本考案は、厳かな印象を失うことなく遺影を明るく照らすことができると共に、礼拝時に御経等の音情報を流すことが可能な遺影表示具を提供することを目的とする。
【課題を解決するための手段】
【０００６】
以上の目的を達成するため、本考案に係る遺影表示具は、故人の遺影を表示するための遺影表示具であって、前記遺影を保持する遺影保持部と、前記遺影保持部に保持される前記遺影に対して光を照射する光源部と、音情報を出力する音源部とを備えることを特徴とする。
【０００７】
本考案に係る遺影表示具において、前記音源部は、御経を出力するよう構成されることが好ましい。
【０００８】
また、本考案に係る遺影表示具は、前記遺影保持部を載置させる上面と、脚部が設けられる底面とを有する載置台を更に備え、前記脚部は、前記載置台の底面と床面との間に所定の空間を形成し、かつ、該空間の内外を連通させる開放部を形成するよう構成され、前記音源部は、前記脚部によって形成された前記空間内に設けられるとしても良い。
【０００９】
さらに、本考案に係る遺影表示具は、前記遺影保持部を正面部に有し、内部に所定の収容空間を有する箱体を更に備え、前記光源部及び前記音源部は、前記箱体の前記収容空間に収容されるとしても良い。
【考案の効果】
【００１０】
以上のように、本考案によれば、厳かな印象を失うことなく遺影を明るく照らすことができると共に、礼拝時に御経等の音情報を流すことが可能な遺影表示具を提供することができる。
【図面の簡単な説明】
【００１１】
【図１】本考案の第１実施形態に係る遺影表示具を示す正面図である。
【図２】第１実施形態に係る遺影表示具の右側面図である。
【図３】第１実施形態に係る遺影表示具の回路部の構成を概略的に示すブロック図である。
【図４】本考案の第２実施形態に係る遺影表示具を示す正面図である。
【図５】第２実施形態に係る遺影表示具の右側面図である。
【図６】本考案の第３実施形態に係る遺影表示具を示す正面斜視図である。
【図７】第３実施形態に係る遺影表示具の内部構造を概略的に示す右側面方向から見た場合の縦断面図である。
【考案を実施するための形態】
【００１２】
［第１実施形態］
次に、本考案の第１実施形態に係る遺影表示具について、図１〜図３に基づいて説明する。第１実施形態に係る遺影表示具１は、図１及び図２に示すように、遺影２を保持する遺影保持部１０と、遺影保持部１０を載置する載置台２０と、遺影保持部１０に保持される遺影２に対して光を照射する３つの光源部３０ａ〜３０ｃと、音情報を出力する音源部４０と、光源部３０ａ〜３０ｃ及び音源部４０の駆動を制御する駆動制御部４２と、駆動制御部４２に電力を供給する電力源４４と、駆動制御部４２のＯＮ状態及びＯＦＦ状態を切り替える電源スイッチ４６とを備えている。
【００１３】
遺影保持部１０は、遺影２を保持するフレーム部１０ａと、フレーム部１０ａを所定の傾斜角度で支持する支持部１０ｂとを備えている。この遺影保持部１０は、遺影２を保持して表示可能なものであれば良く、種々の公知の写真立てを用いることが可能である。
【００１４】
載置台２０は、矩形状の板材の底面２０ｂに前後一対の脚部２２が立設された台であり、その上面２０ａに遺影保持部１０が載置されるよう構成されている。また、載置台２０の上面２０ａの前端縁部近傍、すなわち、上面２０ａにおける遺影保持部１０が載置される領域よりも前端縁寄りの領域には、鉛直方向上方に向けて突出する壁部２４が立設されている。
【００１５】
壁部２４は、載置台２０の幅方向（図１中、左右方向）の長さよりも短い長手方向の長さを有する平板状の板部材からなり、平面が載置台２０の正面方向に向き、かつ、載置台２０の幅方向の中心と壁部２４の長手方向の中心とが略一致するように、載置台２０の上面２０ａ上に立設されている。壁部２４の上端縁部には、図２に示すように、断面Ｌ字状となるようにその後方側（図２中、右側）に段差部２４ａが形成されており、この段差部２４ａ上に、３つの光源部３０ａ〜３０ｃが壁部２４の長手方向（載置台２０の幅方向）に沿って整列して配置されている。段差部２４ａは、壁部２４の上端縁部から段差部２４ａへの落差が光源部３０ａ〜３０ｃの高さ方向の長さよりも大きくなるような位置に形成されており、これにより、載置台２０を正面側から見た場合における光源部３０ａ〜３０ｃの露出を抑えるよう構成されている。また、壁部２４の前面には、菊花紋章や家紋等の適宜の表示が付されている。
【００１６】
脚部２２は、載置台２０の幅方向の長さよりも短い長手方向の長さを有する板部材からなり、平面が載置台２０の正面方向に向き、かつ、載置台２０の幅方向の中心と脚部２２の長手方向の中心とが略一致するように、載置台２０の底面２０ｂの前端縁部近傍及び後端縁部近傍にそれぞれ立設されている。これら前端縁側の脚部２２と後端縁側の脚部２２とは、載置台２０の底面２０ｂと床面（図示せず）との間に所定の空間Ｘが形成され、かつ、この空間Ｘの内外を連通させる開放部Ｐが形成されるように、互いに離間して設けられている。また、前端縁側の脚部２２と後端縁側の脚部２２には、互いに対向する面の下端部近傍に、長手方向（載置台２０の幅方向）に沿って延びる溝部２２ａが形成されており、これら両脚部２２の溝部２２ａに沿って底板（カバー部材）２６をスライドさせて挿入させることが可能に構成されている。
【００１７】
光源部３０ａ〜３０ｃは、ＬＥＤや小型電球等の種々の公知の光源からなり、載置台２０の上面２０ａに立設された壁部２４の段差部２４ａ上に、壁部２４の長手方向（載置台２０の幅方向）に沿って整列して配置されている。これら光源部３０ａ〜３０ｃは、図３に示すように、それぞれ、壁部２４内に埋設された導線を介して駆動制御部４２の後述する光源駆動部４２ａと電気的に接続されている。
【００１８】
音源部４０、駆動制御部４２、電力源４４及び電源スイッチ４６は、図１〜図３に示すように、それぞれ直接又は間接的に電気的に接続されており、載置台２０の底面２０ｂ上、すなわち、載置台２０の脚部２２によって形成された空間Ｘ内に配置されている。なお、第１実施形態に係る遺影表示具１において、音源部４０は、スピーカー等の種々の公知の音源出力手段を用いることができ、電力源４４は、乾電池等の種々の公知の電力源を用いることができ、電源スイッチ４６は、手動でＯＮ状態及びＯＦＦ状態を切り替える手動式スイッチや、人感センサー等により自動でＯＮ状態及びＯＦＦ状態を切り替える自動式スイッチ等の種々の公知の電源スイッチを用いることができるため、その説明を省略する。
【００１９】
駆動制御部４２は、光源部３０ａ〜３０ｃの点灯及び消灯を制御する光源駆動部４２ａと、音源部４０の作動及び停止を制御する音源駆動部４２ｂと、音情報を記憶する記憶部４２ｃとを備えている。
【００２０】
光源駆動部４２ａは、光源部３０ａ〜３０ｃのそれぞれと電気的に接続されており、電源スイッチ４６がＯＮとなった際に光源部３０ａ〜３０ｃを点灯させ、電源スイッチ４６がＯＦＦとなった際に光源部３０ａ〜３０ｃを消灯させるよう構成されている。
【００２１】
音源駆動部４２ｂは、音源部４０及び記憶部４２ｃと接続されており、電源スイッチ４６がＯＮとなった際に、記憶部４２ｃに記憶された音情報を読み出し、この音情報を音源部４０から出力させるよう構成されている。また、音源駆動部４２ｂは、電源スイッチ４６がＯＦＦとなった際、又は、電源スイッチ４６がＯＮとなってから所定時間（例えば３分）が経過した際に、音源部４０から出力されている音情報を停止させるよう構成されている。
【００２２】
記憶部４２ｃには、御経等の礼拝時に流す音として適切な音情報が予め格納されている。なお、記憶部４２ｃに格納される音情報は、御経の他、例えば故人の生前の声や、礼拝時に適合したＢＧＭ等の種々の音情報とすることができる。
【００２３】
以上のとおり、第１実施形態に係る遺影表示具１は、遺影２を保持する遺影保持部１０と、遺影保持部１０に保持される遺影２に対して光を照射する光源部３０ａ〜３０ｃと、音情報を出力する音源部４０とを備えることにより、光源部３０ａ〜３０ｃによって遺影２を明るく照らすことができると共に、礼拝時に音源部４０から御経等の音情報を流すことが可能となる。また、第１実施形態に係る遺影表示具１において、光源部３０ａ〜３０ｃは、仏壇の内部領域全体ではなく遺影２に対して光を照射するものであるため、厳かな印象を失うこともないという利点を有する。
【００２４】
また、第１実施形態に係る遺影表示具１は、音源部４０が載置台２０の脚部２２によって形成された空間Ｘ内に設けられており、遺影２の近傍から御経等の音情報を発することができるため、仏壇外に設けられたラジカセやＣＤプレーヤ等の音声再生装置から音情報を流す場合と比較して、違和感の少ない音情報の出力が可能となる。また、第１実施形態に係る遺影表示具１において、脚部２２は、空間Ｘの内外を連通させる開放部Ｐを形成するよう構成されているため、音源部４０が発した音情報を効率良く空間Ｘ外に放出することが可能である。
【００２５】
本考案に係る遺影表示具は、上述した実施形態に限定されるものではなく、本考案の技術思想を逸脱しない範囲内において種々の改変を行なうことができる。
【００２６】
［第２実施形態］
例えば、第１実施形態に係る遺影表示具１において、載置台２０は、矩形状の板材の上面２０ａに平板状の板部材からなる壁部２４が立設され、底面２０ｂに前後一対の脚部２２が立設されるものとして説明したが、これに限定されず、遺影保持部を載置させる上面と、脚部が設けられる底面とを有するものであれば、いかなる構成を備えるものであっても良い。第１実施形態に係る遺影表示具１と載置台の構成が異なる他の例（第２実施形態）について、図４及び図５を用いて説明する。
【００２７】
第２実施形態に係る遺影表示具１０１の載置台１２０は、図４及び図５に示すように、矩形状の板材の底面１２０ｂに前後一対の脚部１２２が立設された台であり、その上面１２０ａに遺影保持部１１０が載置されるよう構成されている。また、載置台１２０の上面１２０ａの前端縁部近傍の左右両端部には、鉛直方向上方に向けて突出する一対の壁部（左側壁部１２４ａ及び右側壁部１２４ｂ）が立設されている。
【００２８】
左側壁部１２４ａ及び右側壁部１２４ｂは、それぞれ、正面板及び一方の側板からなる横断面Ｌ字状（鉛直方向と直交する方向の断面がＬ字状）に形成されており、載置台１２０の前端縁部側の角に沿うようにそれぞれ設けられている。左側壁部１２４ａ及び右側壁部１２４ｂを構成する正面板及び一方の側板は、それぞれ、下端部から上端の角部に向かって先細りとなり、かつ、その外縁が連続する複数の円弧曲線を描くような形状となるように形成されている。また、左側壁部１２４ａ及び右側壁部１２４ｂを構成する正面板の前面には、菊花紋章や家紋等の適宜の表示が付されている。
【００２９】
脚部１２２は、載置台１２０の幅方向の長さよりも長い長手方向の長さを有し、かつ、長手方向と直交する断面の形状が略直角三角形となる形状を有しており、載置台１２０の底面１２０ｂの前端縁部近傍及び後端縁部近傍に頂点が接するようにそれぞれ立設されている。前端縁側の脚部１２２ａは、傾斜面が載置台１２０の正面方向に向き、かつ、載置台１２０の幅方向の中心と脚部１２２ａの長手方向の中心とが略一致するように、載置台１２０の底面１２０ｂの前端縁部近傍に固着されている。後端縁側の脚部１２２ｂは、傾斜面が載置台１２０の背面方向に向き、かつ、載置台１２０の幅方向の中心と脚部１２２ｂの長手方向の中心とが略一致するように、載置台１２０の底面１２０ｂの後端縁部近傍に固着されている。また、これら前端縁側の脚部１２２ａ及び後端縁側の脚部１２２ｂの傾斜面は、それぞれ内側に湾曲する湾曲面となるよう形成されている。これら前端縁側の脚部１２２ａと後端縁側の脚部１２２ｂとは、載置台１２０の底面１２０ｂと床面（図示せず）との間に所定の空間Ｘが形成され、かつ、この空間Ｘの内外を連通させる開放部Ｐが形成されるように、互いに離間して設けられている。
【００３０】
光源部１３０ａ，１３０ｂは、左側壁部１２４ａの正面板及び一方の側板の内側と、右側壁部１２４ｂの正面板及び一方の側板の内側とに１つずつ設けられており、遺影保持部１１０に保持されている遺影２に対して光を照射するように構成されている。
【００３１】
なお、第２実施形態に係る遺影表示具１０１において、遺影２を保持する遺影保持部１１０と、音情報を出力する音源部１４０と、駆動制御部１４２に電力を供給する電力源１４４と、駆動制御部１４２のＯＮ状態及びＯＦＦ状態を切り替える電源スイッチ１４６とは、それぞれ、第１実施形態において説明した遺影保持部１０、音源部４０、電力源４４及び電源スイッチ４６と同一の構成を採用することができるため、その説明を省略する。また、第２実施形態に係る遺影表示具１０１において、遺影保持部１１０に保持される遺影２に対して光を照射する２つの光源部１３０ａ，１３０ｂと、光源部１３０ａ，１３０ｂ及び音源部１４０の駆動を制御する駆動制御部１４２とは、第１実施形態に係る遺影表示具１と光源の数が異なるのみであり、その他の構成については同一の構成を採用することが可能であるため、その説明を省略する。
【００３２】
以上のような構成を備える第２実施形態に係る遺影表示具１０１によっても、第１実施形態に係る遺影表示具１と同様に、厳かな印象を失うことなく光源部１３０ａ，１３０ｂによって遺影２を明るく照らすことができると共に、違和感を与えることなく音源部１４０から御経等の音情報を流すことが可能となる。
【００３３】
［第３実施形態］
また、第１及び第２実施形態に係る遺影表示具１，１０１では、遺影保持部１０，１１０を載置台２０，１２０上に載置させる態様のものを例に挙げて説明したが、これに限定されず、遺影表示具は、遺影を保持する遺影保持部と、遺影保持部に保持される遺影に対して光を照射する光源部と、音情報を出力する音源部とを備えるものであれば、いかなる構成を備えるものであっても良い。載置台を用いない遺影表示具の一例（第３実施例）について、図６及び図７を用いて説明する。
【００３４】
第３実施形態に係る遺影表示具２０１は、図６及び図７に示すように、遺影２を保持する遺影保持部２１０と、遺影保持部２１０を正面部に有し、内部に所定の収容空間Ｙを有する箱体２２０と、遺影保持部２１０に保持される遺影２に対して光を照射する１又は複数の光源部２３０と、音情報を出力する音源部２４０と、光源部２３０及び音源部２４０の駆動を制御する駆動制御部２４２と、駆動制御部２４２に電力を供給する電力源（図示せず）と、駆動制御部２４２のＯＮ状態及びＯＦＦ状態を切り替える電源スイッチ２４６とを備えている。
【００３５】
遺影保持部２１０は、遺影２を保持可能なフレーム部からなり、遺影２が正面かつやや上方に向けて傾斜して表示されるように、箱体２２０の正面部に傾斜して取り付けられている。遺影保持部２１０の下端縁部近傍には、遺影保持部２１０の幅方向（図６中、左右方向）の長さよりも短い長手方向の長さを有し、かつ、長手方向と直交する断面の形状が略Ｌ字状となる形状を有するフランジ部２２４が固着されており、このフランジ部２２４の前面には、菊花紋章や家紋等の適宜の表示が付されている。なお、遺影保持部２１０は、箱体２２０に対して着脱可能に取り付けられる構成としても良いし、箱体２２０に着脱不能に固着させる構成としても良い。後者の場合には、遺影保持部２１０の上部等に遺影２を挿脱させるための挿入口等を形成することにより、遺影２の出し入れを可能にする構成とすることができる。この遺影保持部２１０は、遺影２を保持して表示可能なものであれば良く、種々の公知の写真入れを用いることが可能である。
【００３６】
箱体２２０は、矩形状の上面２２０ａ及び底面２２０ｂと、底面２２０ｂから上面２２０ａに向けて垂直に立設される矩形状の背面２２０ｃと、底面２２０ｂから上面２２０ａに向けて垂直に立設される略台形形状の両側面２２０ｄとからなる正面部が開口された箱状に形成されている。この箱体２２０は、開口された正面部が遺影保持部２１０により閉塞されることにより、光源部２３０、音源部２４０、駆動制御部２４２、電力源及び電源スイッチ２４６を収容可能な収容空間Ｙが形成されるよう構成されている。箱体２２０の上面２２０ａは、底面２２０ｂよりも前後方向の幅が小さくなるよう形成されている。箱体２２０の底面２２０ｂには、その四隅に脚部２２２がそれぞれ設けられると共に、収容空間Ｙの内外を連通させる開放部Ｑが１又は複数形成されている。
【００３７】
箱体２２０の収容空間Ｙには、底面２２０ｂ上に光源部２３０、電力源及び電源スイッチ２４６が取り付けられ、背面２２０ｃ上に音源部２４０及び駆動制御部２４２が取り付けられている。なお、電源スイッチ２４６は、開放部Ｑから指を挿入して操作することが可能な位置に配置されることが好ましい。しかし、これら光源部２３０、音源部２４０、駆動制御部２４２、電力源及び電源スイッチ２４６の配置は、特に限定されるものではない。
【００３８】
光源部２３０は、遺影保持部２１０に保持されている遺影２に対して、収容空間Ｙ内から光を照射するように構成されている。なお、光源部２３０は、収容空間Ｙ内に加えて又はこれに代えて、フランジ部２２４部分に取り付けられても良い。第３実施形態に係る遺影表示具２０１において、光源部２３０は、第１及び第２実施形態において説明した光源部３０ａ〜３０ｃ，１３０ａ，１３０ｂと同一の構成を採用することができるため、その説明を省略する。
【００３９】
なお、第３実施形態に係る遺影表示具２０１において、音源部２４０、駆動制御部２４２、電力源及び電源スイッチ２４６は、それぞれ、第１及び第２実施形態において説明した音源部４０，１４０、駆動制御部４２，１４２、電力源４４，１４４及び電源スイッチ４６，１４６と同一の構成を採用することができるため、その説明を省略する。
【００４０】
以上のような構成を備える第３実施形態に係る遺影表示具２０１によっても、第１及び第２実施形態に係る遺影表示具１，１０１と同様に、厳かな印象を失うことなく光源部２３０によって遺影２を明るく照らすことができると共に、違和感を与えることなく音源部２４０から御経等の音情報を流すことが可能となる。
【符号の説明】
【００４１】
１，１０１，２０１  遺影表示具、２  遺影、１０，１１０，２１０  遺影保持部、２０，１２０  載置台、３０ａ〜３０ｃ，１３０ａ，１３０ｂ，２３０  光源部、４０，１４０，２４０  音源部、２２０  箱体
【図１】
0003187739.tif 000003
【図２】
0003187739.tif 000004
【図３】
0003187739.tif 000005
【図４】
0003187739.tif 000006
【図５】
0003187739.tif 000007
【図６】
0003187739.tif 000008
【図７】
0003187739.tif 000009